(57)【要約】【課題】  この考案は出来るだけ多くのゴミ袋を容易に収納又は取り出し可能で、外部から袋の中が目視出来、且つ、場所を取らず、取り扱いが簡単で、猫やカラス等から危害を加えられない固定金具付ネット式ゴミ収集袋を開発・提供する事にある。【解決手段】  ほぼ中央部にファスナー等の開閉金具を有する袋状のネット式ゴミ収集袋と、ネット式ゴミ収集袋の両端部にそれぞれ固定してロープの両端部を係止するフック付絞り金具と、ネット式ゴミ収集袋を樹木や電柱等の固定物に連結し固着する為の固定用ロープと、固定金具とから成り、使用時はネット式ゴミ収集袋の開閉金具を開閉してゴミ袋を収納又は取り出し可能にしたものである。【選択図】  図１
0003136948.tif 000002
【実用新案登録請求の範囲】
【請求項１】
地域の各家庭から出るゴミの収集袋であって、該収集袋は、ほぼ中央部にファスナー等の開閉金具（１ａ）を有する袋状のネット式ゴミ収集袋（１）と、ネット式ゴミ収集袋の両端部にそれぞれ固定してロープの両端部を係止するフック付絞り金具（２）（２）と、ネット式ゴミ収集袋を樹木や電柱等の固定物（Ｐ）に連結し固着する為の固定用ロープ（３）と、固定金具（４）とから成り、使用時はネット式ゴミ収集袋の開閉金具（１ａ）を開閉してゴミ袋（ＧＢ）を収納又は取り出し可能にした事を特徴とする固定金具付ネット式ゴミ収集袋。
【考案の詳細な説明】
【技術分野】
【０００１】
この考案は、固定金具付ネット式ゴミ収集袋に関するものである。
【背景技術】
【０００２】
従来、家庭ゴミは各家庭の収集箱にゴミ袋を収納するものや、地域の指定されたゴミ収集場所に集められ、集荷されるもの等、収集方法については、各家庭や地域によって格差があり、金網で頑丈に製作形成された物や、木製や金属製の箱型の物等が有り様々です。しかし、実際問題として、ゴミを回収する作業者にとっては、作業効率を上げる為に、出来るだけ多くのゴミ袋が一箇所にまとめて置いて有る方が、手間が掛からず回収し易いと言う事が言える。
【０００３】
又、設置する場所がなく、仕方なく袋のまま直置きしている所も良く見掛けられますが、必ずと言って良いほど、そうした所には猫やカラス等が寄って来て、ゴミ袋を突付いて中のゴミを散乱させているというのが実態である。
【０００４】
従って、上記問題を解決すべく、出来るだけ多くのゴミ袋を容易に収納又は取り出し可能で、外部から袋の中が目視出来、且つ、場所を取らず、取り扱いが簡単で、猫やカラス等から危害を加えられないゴミ収集袋の早期開発が望まれている。
【０００５】
これまでに出願されているゴミ収集袋の特許文献を参考までに、紹介する。（特許文献１〜２参照。）
【特許文献１】登録実用新案第３０８３３８４号
【特許文献２】特許公開２００３−２５２４０１
【考案の開示】
【考案が解決しようとする課題】
【０００６】
そこで、上記課題を解決する為に、この考案は出来るだけ多くのゴミ袋を容易に収納又は取り出し可能で、外部から袋の中が目視出来、且つ、場所を取らず、取り扱いが簡単で、猫やカラス等から危害を加えられない固定金具付ネット式ゴミ収集袋を開発・提供する事にある。
【課題を解決するための手段】
【０００７】
この課題を解決する為の手段として、ほぼ中央部にファスナー等の開閉金具を有する袋状のネット式ゴミ収集袋と、ネット式ゴミ収集袋の両端部にそれぞれ固定してロープの両端部を係止するフック付絞り金具と、ネット式ゴミ収集袋を樹木や電柱等の固定物に連結し固着する為の固定用ロープと、固定金具とから成り、使用時はネット式ゴミ収集袋の開閉金具を開閉してゴミ袋を収納又は取り出し可能にしたものである。
【考案の効果】
【０００８】
この考案の効果として、ほぼ中央部にファスナー等の開閉金具を有する袋状のネット式ゴミ収集袋と、ネット式ゴミ収集袋の両端部にそれぞれ固定してロープの両端部を係止するフック付絞り金具と、ネット式ゴミ収集袋を樹木や電柱等の固定物に連結し固着する為の固定用ロープと、固定金具とから成り、使用時はネット式ゴミ収集袋の開閉金具を開閉してゴミ袋を収納又は取り出し可能にした事で、多くのゴミ袋を容易に収納・取り出し可能にし、外部から袋の中が目視出来、構造が簡単で軽量な為、回収作業者の手間が掛からす、取り扱いが簡単で、且つ、固定金具付の為、強風等によって吹き飛ばされる事が無く、又、猫やカラス等がゴミ袋を突付いて散乱する心配も解消される等、極めて有益なる効果を奏するものである。
【考案を実施するための最良の形態】
【０００９】
この考案の最良の形態として、ゴミ収集袋の大きさは、ゴミ袋を収集する場所のスペースや収集量に応じた最適な大きさに設定し、且つ、固定金具やロープ等の固定手段も収集場所の状況に合わせた最適な方法を選択し、ゴミを捨てる人や回収する人が取り扱い易く、しかも、丈夫で耐久性のある物にする事が重要である。
【実施例１】
【００１０】
そこで、この考案の一実施例を図１〜図２（Ａ）（Ｂ）に基づいて詳述すると、地域の各家庭から出るゴミの収集袋であって、該収集袋は、ほぼ中央部にファスナー等の開閉金具（１ａ）を有する袋状のネット式ゴミ収集袋（１）と、ネット式ゴミ収集袋の両端部にそれぞれ固定してロープの両端部を係止するフック付絞り金具（２）（２）と、ネット式ゴミ収集袋を樹木や電柱等の固定物（Ｐ）に連結し固着する為の固定用ロープ（３）と、固定金具（４）とから成り、使用時はネット式ゴミ収集袋の開閉金具（１ａ）を開閉してゴミ袋（ＧＢ）を収納又は取り出し可能にした事を特徴とする固定金具付ネット式ゴミ収集袋から構成される。
【００１１】
次に、この考案の詳細について説明すると、まず、袋状に形成したネット式ゴミ収集袋（１）の色は目立ち易い黄色で無結節網のネットを使用し、ほぼ中央部片側に袋全長の約１／２程度の長さを有する開閉用ファスナー等の開閉金具（１ａ）を縫着して設け、且つ、開閉金具の上下部には、指定袋専用ネット及び○○町内会の表示を縫着して設けたものである。
【００１２】
又、ネット式ゴミ収集袋の両端に固着するフック付絞り金具（２）（２）は、布やビニール製等のフック付バンドを使用しているが、場所や状況に応じてバンドに変わる、安価で最適なものに変更しても構わない。
【００１３】
又、ネット式ゴミ収集袋を樹木や電柱等の固定物（Ｐ）に連結し固着する為の固定用ロープ（３）はビニール製のロープを使用し、又、固定金具（４）も大きさを調整可能なビニール製のバンドを使用しているが、何れも上記同様、場所や状況に応じてバンドに変わる、安価で最適なものに変更しても構わない。
【００１４】
そして、ネット式ゴミ収集袋の固定方法については、図２（Ａ）（Ｂ）に示す様に、固定物（Ｐ）の低位置に固定したり、逆に高位置に固定したり、場所や状況に応じて変更調整可能にしたものである。
【００１５】
尚、ゴミ回収作業者による回収作業時は、ゴミ収集袋をゴミ収集車の後部に移動し、片側からゴミ袋を順次取り出しながら、ゴミ収集車の投入口に投げ入れ可能に成る為、作業効率が極めて良く成り、更に、ゴミ収集袋を固定金具とロープを使用して固定している為、強風時等でもゴミ袋が散乱する心配が無くなる。勿論、猫やカラス等がゴミ袋を突付いて散乱する心配も解消される。
【産業上の利用可能性】
【００１６】
この考案の固定金具付ネット式ゴミ収集袋は、多くのゴミ袋を容易に収納又は取り出し可能で、外部から袋の中が目視出来、且つ、場所を取らず、取り扱いが簡単で、猫やカラス等から危害を加えられない為、多くの家庭やゴミ収集業者や環境衛生関係市場に寄与する点で産業上の利用可能性を有する。
【図面の簡単な説明】
【００１７】
【図１】この考案の一実施例を示し、一部欠截正面図である。
【図２】この考案の一実施例を示し、（Ａ）は低位置固定時の側面視断面図で、（Ｂ）は高位置固定時の側面視断面図である。
【符号の説明】
【００１８】
１  ネット式ゴミ収集袋
１ａ  開閉金具
２  フック付絞り金具
３  固定用ロープ
４  固定金具
ＧＢ  ゴミ袋
Ｐ  固定物
【図１】
0003136948.tif 000003
【図２】
0003136948.tif 000004